(57)【要約】【課題】  プレートのように厚みを有さない電気製品や化粧用品などの光輝性の美観が求められる製品やそのパーツに好適な深みのある光輝性とメタリック感に優れた生産性の良い合成樹脂製の光輝性成形物を提供する。【解決手段】  凹レンズ用のフレネルレンズ面１１を形成した基板１のフレネルレンズ面１１に反射層２を積層し、基板１の表面１３からの入射光はフレネルレンズ面１１に積層した反射層２により所定の角度に屈折して異なる角度の複数の反射光を互いに重なって表面１３から散乱させきわめて高い光輝性を発揮させる。【選択図】図１
2009255326.tif 000002
【特許請求の範囲】
【請求項１】
凹レンズ用のフレネルレンズ面を形成した基板の前記フレネルレンズ面に反射層を積層したことを特徴とする光輝性成形物。
【請求項２】
前記反射層が被膜層であることを特徴とする請求項１記載の光輝性成形物。
【請求項３】
前記反射層が前記基板と一体に形成された光輝性樹脂層であることを特徴とする請求項１記載の光輝性成形物。
【発明の詳細な説明】
【技術分野】
【０００１】
本発明は、電気製品や化粧用品、日用雑貨製品などの合成樹脂部分に、製品本体やそのパーツとして、また加飾物として利用されるパールやメタリック調の光輝性を有する光輝性成形物に関する。
【背景技術】
【０００２】
合成樹脂成形品の表面をパールやメタリック調にする為に、合成樹脂材料にマイカ系やアルミ系などの光輝材を直接均一に混入して射出成形方法で成形した光輝性成形物は周知であり、家電製品の本体やパーツとして、また化粧品容器や日用雑貨など様々な分野で利用されている。
【０００３】
前記旧来の光輝性成形物は、成形物の表面に光輝材が現出して光沢や光沢の深みに乏しいうえに、成形の際、溶融樹脂の流れ方向に沿って光輝材が偏在してしまうために、現出するパール、メタリック効果に面白みがなく、平面的で光輝性と高級感に乏しいものであった。
【０００４】
また、パール効果を際だたせようとするものとして、特開昭５６−５７４０６号公報には、少量のパールエッセンス（光輝材）を均一に混入した透明な合成樹脂よって成形された本体の裏面に、不透明な塗料により不透明被膜を塗布して成るパール装飾体が開示されている。
【０００５】
ところが、前記公報に提示されている装飾体は、透明な合成樹脂の本体がある程度の厚みを有しているので点在するパールエッセンスによってパール感に深みがでる。しかしながら、パールエッセンスが少量のために濃密な光輝性やメタリック感に乏しい欠点を有している。また、パールエッセンスを大量に混入すると、パールエッセンスによる反射光線が有効に視覚されなくなり、旧来の光輝性成形物と同様に光沢に深みのない平面的なものになってしまい、この発明の本来の効果を奏し得ない。
【０００６】
更に、光輝材を混入した合成樹脂材料を用いて射出成形方法により凹凸面を有する光輝層を形成し、前記光輝層に前記凹凸面を被覆する表面が滑な透明樹脂層を一体に形成したことを特徴としており、光輝層の成形時における凹凸による溶融樹脂の流れの変化によって、光輝材がランダムな向きに配置されて形成され、光輝層は光を多方向に乱反射する。この光輝材の乱反射と光輝層の凹凸面による乱反射とによる相乗効果により光輝度を高め、透明層により深みのある固有の光輝感を有する光輝性成形物が特開２０００−１５３５６６号公報に提示されている。
【０００７】
しかしながら、この公報に提示されている光輝性成形物は、光輝層にランダムな向きに混入させた光輝材によって生じる乱反射によって光輝度を高め、透明層により深みのある固有の光輝感を発揮させるものであり、透明層に形成される深みは透明層に混入させた光輝材の乱反射に依存するので、厚さが限定された光輝層では深みも限定されてしまうという問題がある。
【特許文献１】特開昭５６−５７４０６号公報
【特許文献２】特開２０００−１５３５６６号公報
【発明の開示】
【発明が解決しようとする課題】
【０００８】
本発明は、プレートのように厚みを有さない電気製品や化粧用品などの光輝性の美観が求められる製品やそのパーツに好適な深みのある光輝性とメタリック感に優れた生産性の良い合成樹脂製の光輝性成形物を提供することにある。
【課題を解決するための手段】
【０００９】
上記課題を解決するためになされた本発明は、凹レンズ用のフレネルレンズ面を形成した基板の前記フレネルレンズ面に反射層を積層したことを特徴とする。
【００１０】
凹レンズ用のフレネルレンズ面を形成した基板の前記フレネルレンズ面に反射層を積層したことにより、基板の表面（フレネルレンズ面を裏面とする）からの入射光はフレネルレンズ面に積層した反射層により所定の角度に屈折して異なる角度の複数の反射光が互いに重なって前記表面から散乱することからきわめて高い光輝性を発揮する。
【００１１】
また、基板を屈折率の大きな凹レンズ効果と反射面を形成したことにより基板の幅よりも焦点距離の短い凸面鏡としての作用を発揮させることから、入射してきた平行光線を一点から出できたように拡散させ、その焦点位置に正立虚像を結像するので表面に深さを感じることができてきわめて立体的で深みのある光輝性を発揮させることができる。
【００１２】
更に、本発明において、前記反射層が被膜層である場合には、従来周知の各種の反射被膜の形成手段を用いてきわめて容易に形成することができるばかりか、全体の厚さも殆ど基板の厚さでよいなどの利点を有する。
【００１３】
更にまた、本発明において、前記反射層が前記基板と一体に形成された光輝性樹脂層である場合には、光輝性樹脂層の光輝材を選択することにより更に多様なものを提供することができる。
【発明の効果】
【００１４】
本発明によると、光輝度が高く、より深みのある固有の光輝感を作り出することができ、特に、プレートのように厚みを有さない電気製品や化粧用品などの光輝性の美観が求められる製品やそのパーツに好適な深みのある光輝性とメタリック感に優れた生産性の良い合成樹脂製の光輝性成形物を提供することができる。
【発明を実施するための最良の形態】
【００１５】
次に、本発明を実施するための最良の形態について図面を用いながら詳細に説明する。
【００１６】
本発明である光輝性成形物は、図１乃至図３に模試的に示すように、凹レンズ用のフレネルレンズ面１１を形成した基板１のフレネルレンズ面１１に被膜層からなる反射層２を形成したものである。
【００１７】
更に詳述すると、基板１は図２に示すように、透明または半透明で無着色または着色したポリスチレン、アクリルニトリルスチレン、ポリカーボネート、ポリメチルメタアクリレートなどのような従来からフレネルレンズに用いられている合成樹脂材料により例えば射出成形、熱プレス成形などの従来の手段によりフレネルレンズ面１１が形成されている。
【００１８】
特に、本実施の形態ではフレネルレンズ面１１に形成される各プリズム１２はは、凹レンズの効果を持たせるように中心側が傾斜面に外側垂直面に形成されている。
【００１９】
また、前記フレネルレンズ面１１に積層される反射皮膜は、例えばアルミニウムの蒸着などにより容易に形成されるが、従来から周知のイオンプレーティング、塗装などの各種の被膜作成手段を用いることができる。尚、反射皮膜の反射率は１００％でなくてよいことは勿論であり、使用する用途に合わせて透過が必要な場合には被着の厚みや被着材料を選択して所定の反射率に形成すればよい。
【００２０】
このように形成される本実施の形態は、図３に示すように、基板１は凹レンズ用のフレネルレンズ面１１を形成するとともにこのフレネルレンズ面１１に反射層２を積層したことにより、基板１の表面１３からの入射する平行光線はフレネルレンズ面１１に積層した反射層２により所定の角度に屈折してそれぞれ異なる角度の複数の反射光となって互いに重なって表面１３から散乱する。このとき、基板１が屈折率の大きな凹レンズ効果と反射面を形成したことにより基板１の幅よりも焦点距離の短い凸面鏡としての作用を発揮させることになる。
【００２１】
そのため、入射してきた平行光線を焦点Fから出できたように拡散させ、その焦点Fに正立虚像を結像するので表面に深さを感じることができてきわめて立体的で深みのある光輝性を発揮させることができる。
【００２２】
図３は本発明の異なる実施の形態についての概略を示すものであり、基板１については前記図１乃至図３に示した実施の形態と同様であり詳細については説明を省略する。
【００２３】
そして、本実施の形態では、基板１に形成したフレネルレンズ面１１に光輝性樹脂よりなる反射層３が一体的に積層されている点が異なる。
【００２４】
この反射層３は、光輝材３１を混入した合成樹脂材料を用いて射出成形方法により成形され、射出成形方法による周知のインサート成形、または、二色成形による成形手段などで前記基板１のフレネルレンズ面１１に合わせて一体に形成されて二層の一体成形物に形成される。
【００２５】
また、反射層３を形成する合成樹脂材料としては、ポリスチレン、アクリルニトリルブタジエンスチレン、アクリルニトリルスチレン、ポリエチレンテレフタレート、ポリカーボネート、ポリメチルメタアクリレート、ポリプロピレン、ポリエチレン、等が使用され、混入される光輝材３１としてはアルミ系、マイカ系のものが使用され、アルミ系の光輝材が好ましい。そして、合成樹脂材料は所望により適宜所望色に着色されたものを使用してもよい。
【００２６】
反射層３の基板１への接合面は、金型によって形成されたものであり、凹凸を有する金型内に溶融合成樹脂を射出すると、金型内の凹凸によって凹凸面を形成する溶融樹脂は乱流し、その流れの変化によって光輝材３１がランダムな向きに配置されて形成されるので、基板１の表面１３から入射する反射層３への平行光線はランダムな向きの光輝材３１によって多方向に乱反射されるとともに、フレネルレンズ面１１２による乱反射とによる相乗効果により、変化のある光輝度の高い光輝面を形成する。
【００２７】
反射層３の光輝材１がランダムな向きに配置されるので、光輝性成形物にボスや穴を設けた場合（図示省略）、反射層３に現れるフローマークやウェルドラインは緩和される。
【００２８】
更に、基板１が前記図３に示したように凸面鏡としての作用を発揮するので基板１の表面に従来にない深みある外観を生じさせる。
【００２９】
以上のように構成された本実施の形態にあっては、光輝材３１による乱反射とフレネルレンズ面１１２による乱反射とによる相乗効果により光輝度が高く、所定の厚みの基盤１１により深みのある固有の光輝感を有する合成樹脂製成形物が得られる。
【図面の簡単な説明】
【００３０】
【図１】本発明における実施の形態を示す断面図。
【図２】図１に示した実施の形態における基板を示す断面図。
【図３】図１に示した実施の形態についての作用を示す説明図。
【図４】本発明における異なる実施の形態を示す断面図。
【符号の説明】
【００３１】
１ 基板、２  反射層、３  反射層、１１  フレネルレンズ面、１２  表面
【図１】
2009255326.tif 000003
【図２】
2009255326.tif 000004
【図３】
2009255326.tif 000005
【図４】
2009255326.tif 000006